(57)【特許請求の範囲】
【請求項１】
外枠に回動可能に支持されると共に、前面側に遊技盤が設けられ裏面側に電子部品が配設された内枠と、
前記内枠の前面に対して傾倒可能に設け、該内枠側に起こした状態で使用不能となり、内枠の手前へ倒した状態で使用可能となる灰皿装置と、
を備え、
前記灰皿装置は、前記基台と、前記基台に回転可能に設けられた灰皿本体と、を含んで構成され、
前記内枠の前面下部に回動可能に支持され遊技球を貯留する皿ユニットに、前記灰皿装置を設け、
該灰皿装置が起きた状態又は倒れた状態を維持するロック手段を、前記皿ユニットの裏面側から操作可能とし、
前記ロック手段が、
前記基台の上面及び側面に設けられた係合孔と、
前記皿ユニットの裏面側から突出し前記係合孔と係合する係合ピンと、
前記係合ピンを前記係合孔内へ付勢する第１付勢手段と、
を含んで構成されたことを特徴とする遊技機。
【請求項２】
前記内枠の前面を凹設して収納部を形成し、前記灰皿装置を起こしたとき前記収納部内に収納されることを特徴とする請求項１に記載の遊技機。
【請求項３】
前記灰皿装置を前記収納部内へ収納する方向へ付勢する第２付勢手段を設けたことを特徴とする請求項２に記載の遊技機。
【発明の詳細な説明】
【技術分野】
【０００１】
本発明は、パチンコ機などの遊技機に関する。
【背景技術】
【０００２】
パチンコ機の灰皿装置は、ホール（パチンコ店）によって使用の有無が異なるため、ホール側において、該灰皿装置を使用可能な状態或いは使用不能な状態に設定できることが望まれる。
【０００３】
例えば、特許文献１では、パチンコ機の前面から突出して設けられた灰皿装置をパチンコ機の前面に対して直交する方向を中心として、灰皿装置を回転可能に設けている。これにより、灰皿装置に設けられた吸殻受部の位置が変わり、吸殻受部を上側に向けると灰皿装置が使用可能な状態となり、吸殻受部を下側に向けると灰皿装置が使用不能な状態となる。つまり、灰皿装置が使用不能な状態であるにも拘わらず、該灰皿装置はパチンコ機の前面から突出した状態のままである。
【特許文献１】特開２００５−２１２２３号公報
【発明の開示】
【発明が解決しようとする課題】
【０００４】
本発明は上記事実を考慮して、灰皿装置が使用不能な状態で、デザイン性を向上させたパチンコ機を得ることを課題とする。
【課題を解決するための手段】
【０００５】
請求項１に記載の発明は、遊技機において、外枠に回動可能に支持されると共に、前面側に遊技盤が設けられ裏面側に電子部品が配設された内枠と、前記内枠の前面に対して傾倒可能に設け、該内枠側に起こした状態で使用不能となり、内枠の手前へ倒した状態で使用可能となる灰皿装置と、を備え、前記灰皿装置は、前記基台と、前記基台に回転可能に設けられた灰皿本体と、を含んで構成され、前記内枠の前面下部に回動可能に支持され遊技球を貯留する皿ユニットに、前記灰皿装置を設け、該灰皿装置が起きた状態又は倒れた状態を維持するロック手段を、前記皿ユニットの裏面側から操作可能とし、前記ロック手段が、前記基台の上面及び側面に設けられた係合孔と、前記皿ユニットの裏面側から突出し前記係合孔と係合する係合ピンと、前記係合ピンを前記係合孔内へ付勢する第１付勢手段と、を含んで構成されたことを特徴とする。
【０００６】
請求項１に記載の発明では、内枠の前面に対して灰皿装置を傾倒可能に設け、灰皿装置を起こした状態（起立させた状態）で該灰皿装置を使用不能とし、灰皿装置を内枠の手前へ倒した状態（傾倒させた状態）で該灰皿装置を使用可能としている。
【０００７】
つまり、灰皿装置の機能（灰皿装置を使用可能な状態又は使用不能な状態に選択可能である）を維持しつつ、灰皿装置を使用不能な状態にするときは、内枠の手前へ倒した灰皿装置を内枠側に起こすため灰皿装置が邪魔にならない。また、灰皿装置を内枠側に起こすことで、該灰皿装置と内枠の前面とのデザイン的な一体感を得ることが可能となり、パチンコ機のデザイン性を向上させることができる。
【０００９】
また、灰皿装置には、内枠に傾倒可能に取付けられた基台を設けており、該基台に対して灰皿本体を回転可能に設けている。基台を内枠の手前へ倒した状態で、灰皿本体を回転させることで、灰皿本体を下向きにすることができ、灰皿本体内の吸殻を捨てることができる。
ここで、内枠の前面下部に回動可能に支持され遊技球を貯留する皿ユニットに灰皿装置を設けている。この灰皿装置が起きた状態（使用不能状態）又は倒れた状態（使用可能状態）を維持するロック手段を設けており、皿ユニットの裏面側から操作可能としている。
これにより、内枠に対して皿ユニットを回動させると、皿ユニットの裏面側が露出することとなるが、この状態でロック手段を操作することができる。つまり、灰皿装置を起こしたり倒したりすることはホールの店員などによって行われ、遊技者からは操作できないようにすることができる。
また、基台の上面及び側面には係合孔を設けている。一方、皿ユニットの裏面側からは、係合孔と係合する係合ピンが突出している。そして、第１付勢手段によって係合ピンを係合孔内へ付勢して、係合ピンが係合孔から容易に抜けないようにする。つまり、灰皿装置を倒した状態のときは、係合ピンが基台の側面に形成された係合孔と係合し、灰皿本体を起こした状態のときは、係合ピンが基台の上面に形成された係合孔と係合する。
【００１０】
請求項２に記載の発明は、請求項１に記載の遊技機において、前記内枠の前面を凹設して収納部を形成し、前記灰皿装置を起こしたとき前記収納部内に収納されることを特徴とする。
【００１１】
請求項２に記載の発明では、内枠の前面を凹設して収納部を形成し、灰皿装置を使用不能状態とするとき該収納部内に灰皿装置を収納させるようにすることで、内枠の前面から灰皿装置を突出させないようにすることができ、灰皿装置と内枠の前面とで連続した意匠とすることができる。これにより、パチンコ機のデザイン性を向上させることができる。
【００１８】
請求項３に記載の発明は、請求項２に記載の遊技機において、前記灰皿装置を前記収納部内へ収納する方向へ付勢する第２付勢手段を設けたことを特徴とする。
【００１９】
請求項３に記載の発明では、灰皿装置が収納部内に収納された状態で、第２付勢手段によって該灰皿装置を収納部内へ収納する方向へ付勢することで、灰皿装置がガタつかないようにしている。
【発明の効果】
【００２０】
本発明の遊技機によれば、灰皿装置が使用不能な状態で、パチンコ機のデザイン性を向上させることができる。
【発明を実施するための最良の形態】
【００２１】
以下、本発明の実施形態に係る遊技機について図面を参照して説明する。
【００２２】
（パチンコ機の構成）
図１〜図３には、本発明の一実施形態に係るパチンコ機１０が示されている。図１〜図３に示すように、パチンコ機１０は、パチンコ機１０の外郭を構成するとともにパチンコホールの島設備に設置される矩形状の外枠１２を備えている。外枠１２の前面には、合成樹脂で矩形額縁状に形成された内枠１４が配置されており（図２参照）、内枠１４の下側となる外枠１２の前面下端部には、パチンコ機１０の前面下端部を構成する合成樹脂製の下飾り１６が取り付けられている。
【００２３】
内枠１４は、外枠１２の左上角部と下飾り１６の左上角部とに設けられた一対のヒンジ部１８、２０に左側端部が軸支（回動可能に支持）されて開閉可能に取り付けられている。内枠１４の前面上部には、パチンコ機１０の前面上部を構成するガラス枠２２が配置されており、ガラス枠２２は、縦長略楕円形の窓部２４にガラス板２６が装着されるとともに、左側端部が内枠１４に軸支されて開閉可能に取り付けられている（図２参照）。
【００２４】
ガラス枠２２の裏面側となる内枠１４の前面上部には、矩形状の開口部１５が形成されている。この内枠１４の開口部１５には、遊技盤Ｇが着脱（交換）可能にセットされており、遊技盤Ｇは、内枠１４に対して閉塞されたガラス枠２２によって覆われ、パチンコ機１０の正面側から窓部２４のガラス板２６を通して視認可能とされている。
【００２５】
ここで、遊技盤Ｇは、基板として透明の平板状合成樹脂材が用いられている（以下、透明遊技盤Ｇという）。この透明遊技盤Ｇの表面には、円弧状の内レール９０及び外レール９２が取り付けられている。これらの内レール９０及び外レール９２によって囲まれた円形状の領域は、遊技球を発射する発射装置６０から発射されて打ち込まれた遊技球が自重落下により移動可能とされ、この領域が遊技を行う遊技領域ＰＡとされる。また、透明遊技盤Ｇの裏面側には、少なくとも遊技領域ＰＡのほぼ全域に亘って表示面が対向する大型の液晶表示器（図示省略）が配設されている。すなわち、遊技領域ＰＡが、液晶表示器の表示領域となっている。
【００２６】
また、ガラス枠２２の前面には、左右の両側端部に、遊技の進行に応じて点灯、消灯、及び点滅し照明による演出を行う複数の照明演出用のランプ２８が配設されており、左上と右上の各角部近傍に、遊技の進行に応じて効果音をステレオ出力する中高音用のスピーカ３０Ｌ、３０Ｒが内蔵されている。
【００２７】
一方、内枠１４の前面下部には、パチンコ機１０の前面下部を構成する皿ユニット４０が配置されている。皿ユニット４０は、皿ユニット４０の本体部を構成するベース４１の左側端部が内枠１４に軸支されて開閉可能に取り付けられており、ベース４１の前面上部に、遊技球を遊技盤Ｇへ向けて発射するために貯留して後述する発射装置６０（図２参照）へ供給する上皿４２が突設され、ベース４１の前面下部における上皿４２の左下に、上皿４２に貯留しきれない遊技球を貯留するための下皿４４が突設されている。
【００２８】
上皿４２は、底面が正面視にて手前側から奥側へ向けて反時計回りに下り傾斜しており、傾斜方向下流側となる底面の奥側に、上皿４２内に貯留された遊技球を１列に整列して、ベース４１の裏面に取り付けられた球送り装置４５（図２参照）へ誘導する整列通路４６が設けられている。ベース４１によって構成された上皿４２の奥壁面における右側端部には、内枠１４の裏面に設けられた払出装置６２（図３参照）から払い出された貸し球や賞球が排出される球排出口４８が形成されており、下皿４４の奥壁面における右側端部には、上皿４２に貯留しきれない遊技球が排出される球排出口４９が形成されている。
【００２９】
そして、皿ユニット４０を構成するベース４１の前面右下部には、発射装置６０と電気的に接続されて打球の発射力（飛距離）を調整する発射ハンドル５４が取り付けられており、ベース４１の前面左下部には、下皿４４に隣接して灰皿装置５６（後述する）が設けられている。また、ベース４１の前面略中央は矩形箱状に膨出しており、内部には、遊技の進行に応じて効果音を出力する重低音用のスピーカ（サブウーハ）５８が設けられている。
【００３０】
ところで、図２及び図４に示すように、遊技盤Ｇの下側で発射装置６０の右上側には、払出装置６２から払い出された遊技球が流出する球流出口６１が設けられている。一方、ベース４１の裏面中央部上側には、上皿４２と連通する球排出口４８が設けられており、皿ユニット４０が内枠１４に閉止されたときに、球流出口６１と球排出口４８が連通するようになっている。これにより、払出装置６２から払い出された遊技球は、球流出口６１及び球排出口４８を経由して、上皿４２に払い出される。
【００３１】
球流出口６１と隣接する位置には、下方に向けて遊技球の排出口（図示省略）が形成された流路からなるオーバーフロー部７８が設けられている。また、球流出口６１の上流側には、球流出口６１とオーバーフロー部７８に向けて分岐された分岐路（図示省略）が設けられている。これにより、上皿４２に払い出された遊技球の貯留量が、上皿４２の貯留可能量を上回るとき（満タン時）、分岐路であふれた遊技球は、オーバーフロー部７８に案内され、オーバーフロー部７８の排出口から排出される。
【００３２】
一方、皿ユニット４０の裏面中央部で球排出口４８の下方側には、下皿４４へ遊技球を流下させる球通路７０が取付けられている。球通路７０の上部には、皿ユニット４０が内枠１４に閉止されたときに、オーバーフロー部７８の下側に配置される通路入口７２が設けられている。また、球通路７０は、下皿４４に設けられた球排出口４９（図１参照）と連通している。
【００３３】
ここで、上皿４２の満タン時に、分岐路からオーバーフロー部７８を通って通路入口７２に排出された遊技球は、球通路７０を流下して、球排出口４９から下皿４４へ排出される。
【００３４】
一方、内枠１４の裏面における自由端側（裏面視左側）の側端部には、図２及び図３に示されるように、内枠１４及びガラス枠２２を施錠するための施錠装置６４が取り付けられており、施錠装置６４の下側には、皿ユニット４０をロックするためのロック装置６８が取り付けられている。
【００３５】
この施錠装置６４によって、内枠１４が外枠１２に閉塞された状態で施錠されるとともに、ガラス枠２２が内枠１４に閉塞された状態で施錠され、ロック装置６８によって、皿ユニット４０が内枠１４に閉塞された状態でロックされる。
【００３６】
また、施錠装置６４の下部に設けられたシリンダー錠（錠前）６６は、皿ユニット４０の前面右上から露出しており、このシリンダー錠６６の鍵孔に鍵（図示省略）を差し込んで開錠操作すると、外枠１２に施錠された内枠１４が開錠されて開放可能となり、内枠１４に施錠されたガラス枠２２が開錠されて開放可能となる。
【００３７】
ガラス枠２２を開放すると露出するロック装置６８のロック解除レバー６９を操作すると、内枠１４にロックされていた皿ユニット４０がロック解除されて開放可能となるが、皿ユニット４０が内枠１４に閉塞されてロック装置６８によりロックされると、発射装置６０の前側に球送り装置４５が配置される。また、前述のように、球流出口６１と球排出口４８が連通し、オーバーフロー部７８の下部に球通路７０の通路入口７２が配置される。
【００３８】
一方、図３に示されるように、内枠１４の裏面には、払出機構１００（後述する）等が配設されている。払出機構１００は、基板となる矩形状のベース板１０２の裏面視右側（内枠１４の支持端側）に設けられており、ベース板１０２の払出機構１００以外の領域には、図示はしないが、パチンコ機１０の各機能の全般を制御するための主制御基板、液晶表示器に表示させる図柄を制御するための図柄制御基板等が組み付けられ、表面が保護カバー９９で被覆されている。
【００３９】
そして、ベース板１０２に保護カバー９９を取付けた状態で（ユニット化）、該ベース板１０２を内枠１４に対して着脱可能としている。なお、ユニット化しない状態で、ベース板１０２を内枠１４に取付けた後、保護カバー９９を取付けても良いのは勿論のことである。
【００４０】
ここで、払出機構１００について説明する。
【００４１】
図３に示すように、内枠１４裏面の支持端側（図中右側）の側端部には、上タンク８０及び下タンク８２に貯留された遊技球を貯球タンク７４（図２参照）側へ流下させる上部球通路ユニット８４及び下部球通路ユニット８６が延設されており、上部球通路ユニット８４と下部球通路ユニット８６の間に払出装置６２が取り付けられ、下部球通路ユニット８６の下側に発射装置６０が取り付けられている。また、発射装置６０の左側には払出制御基板８８が設けられている。
【００４２】
この払出制御基板８８による払出停止制御では、払出装置６２を駆動停止させて遊技球の払い出しを停止し、払出実行制御では、払出装置６２を駆動させて、上タンク８０及び下タンク８２から上部球通路ユニット８４を流下し払出装置６２に誘導された遊技球を、貸し球又は賞球として下部球通路ユニット８６へ払い出す。
【００４３】
そして、下部球通路ユニット８６へ払い出された遊技球は、貯球タンク７４へ誘導され、貯球タンク７４内を上流側（左側）から下流側（右側）へ転動してタンク出口７６を通過し球排出口４８から排出されて、上皿４２に貯留される。
【００４４】
さらに、上皿４２内を下流側（左側）へ流下しつつ整列通路４６により１列に整列され、遊技者の発射ハンドル５４の操作により、球送り装置４５により１球ずつ発射装置６０に送り込まれ、発射装置６０によって遊技盤Ｇの遊技領域ＰＡへ発射される（図２の矢印Ａ方向）。この遊技球が遊技領域ＰＡを自重落下する過程で入賞又は外れとなることにより、遊技盤Ｇにて遊技球を用いた遊技が行われる。
【００４５】
そして、遊技の進行に伴い、大量の遊技球が賞球として払い出されるなどし、上皿４２が満タンになると、上皿４２に貯留しきれない遊技球は、オーバーフロー部７８から通路入口７２へ落下して球通路７０を流下し、球排出口４９を通じて下皿４４へ排出される。
【００４６】
また、遊技の終了時などに、上皿４２の前面左側に設けられた上皿用球抜きレバー５０を操作すると、整列通路４６の最下流部が開放して、上皿４２に貯留された遊技球が球通路７０へ排出され下皿４４へ流下する。
【００４７】
さらに、下皿４４が遊技球で満タンになったときや遊技の終了時などに、下皿４４の前面下側に設けられた下皿用球抜きレバー５２を操作すると、下皿底面の一部が開放して、下皿４４に貯留された遊技球が下皿４４の下方に配置された球箱（図示省略）へ排出される。
【００４８】
次に、本発明の実施の形態に係る遊技機の要旨について説明する。
【００４９】
図４及び図５に示すように、内枠１４の前面下部には、皿ユニット４０が内枠１４に軸支されて開閉可能に取り付けられており、皿ユニット４０には、下皿４４に隣接して灰皿装置５６が設けられている。
【００５０】
この灰皿装置５６は、図６に示すように、略箱状の灰皿本体１０４と中空部１０５を有する略直方体状の基台１０６を備えており、灰皿本体１０４及び基台１０６の一側壁１０４Ａ、１０６Ａを互いに対面させた状態で連結可能（後述する）とし、灰皿本体１０４と基台１０６の外形が繋がるように形成されている。
【００５１】
灰皿本体１０４の側壁１０４と繋がる側面は、基台１０６から離間する方向へ向かって徐々に先細りとなっており、先端部は角丸めされている。また、灰皿本体１０４の上面には、灰皿本体１０４の外形に沿って吸殻入れ１０８が凹設されており、吸殻入れ１０８の先端部（灰皿本体１０４の先端部）には、略Ｕ字状の切欠き部１０８Ａが形成されている。
【００５２】
灰皿本体１０４の基台１０６側の側壁１０４Ａには、円柱状の首部１１０（図７（Ｂ）参照）が突設されている。この首部１１０の先端面からは、該首部１１０の外径寸法よりも大径の頭部１１２が張り出している。この頭部１１２には頭部１１２の中心から下方へ向かって切欠き部１１２Ａが形成されている。
【００５３】
なお、ここでは、説明の便宜上、灰皿本体１０４に吸殻入れ１０８が形成されているとしたが、吸殻入れ１０８は耐熱性が要求されるため、灰皿本体１０４と吸殻入れ１０８とで材料を変える場合、灰皿本体１０４とは別に吸殻入れ１０８を設け、該吸殻入れ１０８を灰皿本体１０４に装着させるようにしても良い。
【００５４】
一方、基台１０６には、灰皿本体１０４側の側壁１０６Ａに首部１１０が係合可能となっており、頭部１１２の外径寸法よりも小径の孔部１１４が形成されている。ここで、基台１０６は上下に分割可能とされており、該孔部１１４が上下に分割される。
【００５５】
孔部１１４が開放された状態（基台１０６の上下が分割された状態）で、該孔部１１４に灰皿本体１０４の首部１１０を係合させる。このとき、灰皿本体１０４の頭部１１２は基台１０６の中空部１０５内に配置される。
【００５６】
この状態で、孔部１１４を閉止させると（基台１０６の上下が一体化された状態）、首部１１０が孔部１１４に係合された状態で、頭部１１２は孔部１１４によって抜け止めされる。これにより、灰皿本体１０４は孔部１１４及び首部１１０を介して基台１０６に対して回転可能とされる。
【００５７】
ここで、灰皿本体１０４の側壁１０４Ａには、切欠き部１１２Ａの内側に位置して灰皿本体１０４の高さ方向に沿って位置決めリブ１０７が突設している。また、基台１０６の側壁１０６Ａには、この位置決めリブ１０７に対応して基台１０６の幅方向に沿って一対の爪部１０９が突設している。
【００５８】
この爪部１０９は互いに対面する面を頂部として側壁１０６Ａの表面に対して傾斜面１０９Ａを形成しており、該傾斜面１０９Ａを位置決めリブ１０７が摺動し、爪部１０９と爪部１０９の間に到達すると、該位置決めリブ１０７を介して灰皿本体１０４が基台１０６に対して位置決めされることとなる。そして、この状態では、灰皿本体１０４の上面と基台１０６の上面が面一となる。
【００５９】
なお、ここでは、図７（Ｂ）に示すように、基台１０６の側壁１０６Ａを内枠１４の前面と平行となるように設けており、灰皿本体１０４は、内枠１４の前面に対して直交する直線Ｐを回転中心軸とする（図１１参照）が、基台１０６及び灰皿本体１０４の形状によって、内枠１４の前面に対する灰皿本体１０４の回転中心軸の角度は変わる。
【００６０】
また、図６及び図７（Ａ）、（Ｂ）に示すように、基台１０６の側壁１０６Ａに対して直交する一対の側壁１０６Ｂには、軸孔１１６が設けられている。この軸孔１１６には、ピン１１８が挿入され、該ピン１１８を中心として基台１０６を回転可能（傾倒可能）としている。ピン１１８の先端部は、灰皿本体１０４及び基台１０６の上面を被覆可能な蓋体１２０の両側部から垂下する軸板１２２に軸支されている。これにより、基台１０６は蓋体１２０に対して回転可能となる。
【００６１】
蓋体１２０の軸板１２２と軸板１２２の間には挿通孔１２４が形成されており、蓋体１２０と対面可能な基台１０６の側壁１０６Ｂ及び基台１０６の上面には、灰皿本体１０４を傾倒（図７（Ｂ）及び図１０参照）或いは起立（図７（Ａ）及び図９参照）させた状態で、この挿通孔１２４と連通する位置に係合孔１２６、１２８がそれぞれ形成されている。
【００６２】
一方、皿ユニット４０の表面側には、灰皿本体１０４が起立した状態で該灰皿本体１０４、基台１０６及び蓋体１２０を収納可能な収納部１３０が凹設されている。
【００６３】
蓋体１２０の軸板１２２にはトーションスプリング（第２付勢手段）１３２の一端部が装着されており、トーションスプリング１３２の他端部は基台１０６側に装着され、灰皿本体１０４を起立させた状態で灰皿本体１０４及び基台１０６が収納部１３０内へ収納されるように、基台１０６を付勢している。これにより、収納部１３０内で基台１０６及び灰皿本体１０４がガタつかないようにしている。
【００６４】
ここで、基台１０６を傾倒させるときは、灰皿本体１０４の自重により傾倒が可能となる。このため、基台１０６の側壁１０６Ｂからは、軸板１２２に当接可能なストッパ１３４が突設されており、基台１０６を傾倒させた状態で、軸板１２２に当って基台１０６の回転移動が規制されるようにしている。
【００６５】
ところで、収納部１３０の底部には、貫通孔１３６が形成され、皿ユニット４０の裏面側から係合ピン１３８を挿入可能としている。この係合ピン１３８は貫通孔１３６及び挿通孔１２４を通過して、係合孔１２６又は係合孔１２８に係合可能としている。
【００６６】
係合孔１２６又は係合孔１２８に係合した状態で、図８に示すように、係合ピン１３８は皿ユニット４０の裏面側から突出している。また、係合ピン１３８には皿ユニット４０の裏面との間にコイルバネ（第１付勢手段）１４０が装着され、係合ピン１３８が係合孔１２６又は係合孔１２８から容易に抜けないようにしている。
【００６７】
具体的には、皿ユニット４０の裏面側からは、略Ｌ字状を成し係合ピン１３８を挿通可能とすると共にコイルバネ１４０の一端部が当接する当接片１４１が延出している。そして、コイルバネ１４０の他端部は、係合ピン１３８に設けられ貫通孔１３６の周縁部に当接可能な当接リング１４３に当接している。
【００６８】
これにより、係合ピン１３８を引き抜こうとすると、コイルバネ１４０は圧縮され、コイルバネ１４０には弾性力が蓄積されることとなる。このコイルバネ１４０の付勢力（復元力）によって、当接リング１４３を介して、係合ピン１３８の先端部が係合孔１２６又は係合孔１２８の奥方へ押込まれる。
【００６９】
ここで、図７（Ａ）及び図８に示すように、皿ユニット４０の裏面側で突出する係合ピン１３８の一端側は、一辺が開放された略三角形状を成し、係合ピン１３８の一端部は係合ピン１３８の他端側と平行となるように折れ曲がっている。
【００７０】
このように、係合ピン１３８の一端側を複雑な形状とすることで、内枠１４に対して皿ユニット４０を回動（開放）させたとき、係合ピン１３８を直線状とした場合に比べ、皿ユニット４０の裏面に配設された他の部品との区別を付きやすくしている。
【００７１】
また、係合ピン１３８の一端部の近傍には、係合ピン１３８の一端部を囲むようにして断面が略コ字状のガイド部１４２が設けられている。係合ピン１３８を移動させるとき、このガイド部１４２によって係合ピン１３８の一端部はガイドされ、係合ピン１３８が回転したりなどして、係合ピン１３８の一端部の位置が変わらないようにしている。
【００７２】
（作用・効果）
次に、本発明の実施の形態に係る遊技機の作用・効果について説明する。
【００７３】
図９及ぶ図１０に示すように、本実施形態では、灰皿本体１０４が連結された基台１０６を傾倒可能に設けることで、灰皿装置５６を使用可能な状態又は使用不能な状態に設定することができる。
【００７４】
具体的には、図７（Ａ）、（Ｂ）に示すように、基台１０６の側壁１０６Ｂ及び基台１０６の上面に、係合孔１２６、１２８をそれぞれ形成し、皿ユニット４０を貫通する係合ピン１３８を係合可能としている。
【００７５】
そして、灰皿装置５６を内枠１４の手前へ傾倒させ、ストッパ１３４が軸板１２２に当って基台１０６の回転移動が規制されると、係合孔１２６に係合ピン１３８を係合させる。これにより、灰皿装置５６の使用可能状態が維持される。また、係合ピン１３８を係合孔１２６から係合解除させ、灰皿装置５６を内枠１４側に起こして係合孔１２８に係合ピン１３８を係合させる。これにより、灰皿装置５６の使用不能状態が維持される。
【００７６】
ここで、灰皿装置５６を使用不能状態にするときは、内枠１４の手前へ傾倒している灰皿装置５６を内枠１４側に起立させることで、灰皿装置５６が邪魔にならないようにすることができる。また、灰皿装置５６を内枠１４側に起立させることで、該灰皿装置５６と内枠１４の前面とのデザイン的な一体感を得ることが可能となり、パチンコ機１０のデザイン性を向上させることができる。
【００７７】
特に、皿ユニット４０の表面側に収納部１３０を凹設し、灰皿本体１０４が起立した状態で該灰皿本体１０４及び基台１０６を収納可能とすることで、灰皿装置５６と内枠１４の前面を面一とすることも可能となり、灰皿本体１０４及び基台１０６で連続した意匠とすることができる。
【００７８】
一方、基台１０６に形成された係合孔１２６、１２８と係合し、灰皿装置５６を使用可能な状態又は使用不能な状態で維持する係合ピン１３８を、皿ユニット４０の裏面側から突出させている。
【００７９】
内枠１４に対して皿ユニット４０を回動（開放）させると、皿ユニット４０の裏面側が露出することとなるが、この状態で係合ピン１３８を露出させるようにすることで、皿ユニット４０を開放させた状態で該係合ピン１３８を操作することができる。つまり、灰皿装置５６を傾倒させたり起立させたりすることはホールの店員などによって行われ、遊技者からは操作できないようにすることができる。
【００８０】
また、本実施形態では、灰皿本体１０４を基台１０６に連結させ、回転可能としている。これにより灰皿本体１０４の吸殻入れ１０８を下方へ向けることができる。ホールでは通常、吸殻入れ内の吸殻は掃除機などによって吸引しているが、掃除機などによる吸引ができない場合、灰皿本体１０４を回転させ、吸殻入れ１０８を下方へ向けることで、吸殻入れ１０８内の吸殻を下へ落とすことができる。
【００８１】
また、本形態はあくまでも一実施例であり、本発明の主旨を逸脱しない範囲内において適宜変更可能であることは言うまでもない。
【００８２】
例えば、本実施形態では、灰皿本体１０４及び基台１０６の上面を被覆可能な蓋体１２０を設け、該蓋体１２０の両側部から軸板１２２を垂下させたが、収納部１３０に対して基台１０６を傾倒させることができれば良いため、収納部１３０に基台１０６を傾倒させるための軸部を設けても良く、この場合は蓋体１２０は不要となる。
【図面の簡単な説明】
【００８３】
【図１】実施の形態に係るパチンコ機を示す正面側から見た斜視図である。
【図２】実施の形態に係るパチンコ機のガラス枠及び皿ユニットが開放された状態を示す正面側から見た斜視図である。
【図３】実施の形態に係るパチンコ機を示す背面側から見た斜視図である。
【図４】実施の形態に係るパチンコ機の皿ユニットが開放された状態を示す正面側から見た拡大斜視図である。
【図５】実施の形態に係るパチンコ機の皿ユニットを正面側から見た斜視図である。
【図６】実施の形態に係るパチンコ機の灰皿装置の構成を示す分解斜視図である。
【図７】実施の形態に係るパチンコ機の灰皿装置の動作を示す側面図であり、（Ａ）は灰皿装置の使用不能状態を示し、（Ｂ）は灰皿装置の使用可能状態を示している。
【図８】実施の形態に係るパチンコ機の皿ユニットを背面側から見た要部拡大斜視図である。
【図９】実施の形態に係るパチンコ機の灰皿装置の使用不能状態を示す斜視図である。
【図１０】実施の形態に係るパチンコ機の灰皿装置の使用可能状態を示す斜視図である。
【図１１】実施の形態に係るパチンコ機の灰皿装置を構成する灰皿本体を基台に対して回転させている状態を示す斜視図である。
【符号の説明】
【００８４】
１０      パチンコ機（遊技機）
１２      外枠
１４      内枠
４０      皿ユニット
１０４    灰皿本体（灰皿装置）
１０６    基台（灰皿装置）
１２６    係合孔（ロック手段）
１２８    係合孔（ロック手段）
１３０    収納部
１３２    トーションスプリング（第２付勢手段）
１３８    係合ピン（ロック手段）
１４０    コイルバネ（第１付勢手段）
【図１】
0005133712.tif 000002
【図２】
0005133712.tif 000003
【図３】
0005133712.tif 000004
【図４】
0005133712.tif 000005
【図５】
0005133712.tif 000006
【図６】
0005133712.tif 000007
【図７】
0005133712.tif 000008
【図８】
0005133712.tif 000009
【図９】
0005133712.tif 000010
【図１０】
0005133712.tif 000011
【図１１】
0005133712.tif 000012